(57)【要約】      （修正有）【課題】浴室内演出照明に限らず、コンパクトで照明具のほぼ全表面に輝きを持たせることによりイベントや教会の結婚式の光の演出、披露宴の演出、光る玩具として提供できる水中照明具の提供。【解決手段】透明ケース７内は、上下２室に分割され、下室には電流を流すための回路５、ＬＥＤ及び電池を内蔵し、透明ケース６の底部に外部に露出させた２本の通電用端子が回路５に連結されており、水と接触して端子間に微弱電流が流れて回路５が入り、定格の電流が流れ点灯する。点灯した光は、透明ケース６内の上室に収められた、透明塊状物に当たって反射し拡散する。この拡散された光は透明ケース６から中空容器２の内壁の凹凸に当り、さらに拡散されて容器全体から放出される。【選択図】 図１
2005317513.tif 000002
【特許請求の範囲】
【請求項１】
１．         
外壁面又は内壁面の少なくとも内壁面に多数の凹凸を設けた透明又は半透明の中空容器
２．         
発光素子、電池及び回路が収容された光透過性密閉ケースからなる発光装置
３．         
前記中空容器の下部開口部に前記発光装置を固着あるいは着脱自在に取り付け、且つ発光装置の底部に水溶液や海水との接触で通電し発光させる端子を露出させたことを特徴とした水中照明具。
【請求項２】
１．         
外壁に多数の穴を開け、且つ外壁面又は内壁面の少なくとも内壁面に多数の凹凸を設けた透明又は半透明の中空容器
２．         
発光素子、電池及び回路が収容された光透過性密閉ケースからなる発光装置
３．         前記中空容器の下部開口部に前記発光装置を固着あるいは着脱自在に取り付け、且つ発光装置の底部に水溶液や海水との接触で通電し発光させる端子を露出させたことを特徴とした水中照明具。
【請求項３】
１．         
外壁面又は内壁面の少なくとも内壁面に多数の凹凸を設けた透明又は半透明の中空容器
２．         
発光素子、電池及び回路が収容された光透過性密閉ケースからなる発光装置
３．         前記中空容器の下部開口部に前記発光装置を固着あるいは着脱自在に取り付け、且つ発光装置の底部にスイッチを取り付けたことを特徴とした水中照明具。
【請求項４】
１．         
壁に多数の穴を開け、且つ外壁面又は内壁面の少なくとも内壁面に多数の凹凸を設けた透明又は半透明の中空容器
２．         
発光素子、電池及び回路が収容された光透過性密閉ケースからなる発光装置
３．         前記中空容器の下部開口部に前記発光装置を固着あるいは着脱自在に取り付け、且つ発光装置の底部にスイッチを取り付けたことを特徴とした水中照明具。
【請求項５】
発光素子を複数配置した発光装置からなる請求項１、２、３、４記載の水中照明具
【請求項６】
回路を点滅回路とした発光装置からなる請求項１、２、３、４記載の水中照明具
【請求項７】
発光素子を点滅するＬＥＤとした発光装置からなる請求項１、２、３、４記載の水中照明具
【請求項８】
発光素子を時間の経過と共に発光色が変化する３色のＬＥＤ組み込んだ発光装置からなる請求項１、２、３、４記載の水中照明具
【請求項９】
発光装置の底部を開閉自在とし電池を交換できる構成とした請求項１、２、３、４記載の水中照明具
【発明の詳細な説明】
【技術分野】
【０００１】
本発明は、照明具の全体を発光させる水中照明具に関するものである。
【背景技術】
【０００２】
従来演出照明装置は特許公開２００２−４２５２号公報に記載されている。この先行技術は浴槽内をＬＥＤを用いた発光部からの光で演出する演出照明装置であって、該演出照明装置は、前記浴槽内の水面に浮かせるか又は水中に水没させることのできる密閉構造のケース体と、該ケース体の水面下に位置する部位に設けられた前記発光部と、該発光部へ電力を供給するケース体内に設けられた電池と、ケース体外部より前記発光部の発光を操作できる操作スイッチで構成されていることを特徴とする演出照明装置である。この先行技術は装置単独で演出するものではなく水面に浮かべて水槽内を照明して演出するものであるから照明具全体が輝きそれ自体で演出できるものではない。従って先行技術は発光部がケースの水面下に位置する部位にあり下方外側に向かって設けられている構成である。
【特許文献１】特許公開２００２−４２５２号
【発明の開示】
【発明が解決しようとする課題】
【０００３】
本発明は浴室内演出照明に限らず、コンパクトで照明具のほぼ全表面に輝きを持たせることによりイベントや教会の結婚式の光の演出、披露宴の演出、光る玩具として提供できる水中照明具を提供することを目的とする。
【課題を解決するための手段】
【０００４】
本発明である水中照明具は、壁面又は内壁面の少なくとも内壁面に多数の凹凸を設けた透明又は半透明の中空容器あるいは前記この中空容器の表面に多数の穴を設けた中空容器からなるので穴の無い中空容器の場合は水面に浮く状態となり、容器の壁に穴を開けた場合は沈む状態となる。いずれにしても中空容器の下部に重い発光装置が嵌着しているので通電用端子或いはスイッチは水に接触している。
【０００５】
中空容器の全体の形状は、キャラクターや動物を表したものなどがあり、その形や色を限定するものではない。
また発光素子、電池及び回路が収容された光透過性密閉ケースからなる発光装置は、防水構造となっている。
【０００６】
発光装置の密閉ケースの底部を平らにすると安定したセットが可能となる。発光素子はクリプトン球、ハロゲン球、電球等があるが消費電力の少ない発光ダイオードが最適である。発光素子からでた光は中空容器の内壁の透明な凹凸に当たって乱反射し、また一部の光は直接穴から出て容器全体が輝きを持つ。
【０００７】
あるいは発光素子からでた光は、まず密閉ケース内の光拡散物又はケースの壁の光拡散部で拡散され、さらにその光が中空容器内壁の透明な凹凸に当たって乱反射し容器全体が輝きを持つ。このような二重の拡散構造は指向特性を有するＬＥＤには有効である。
さらに発光素子を複数配置する構成、回路を点滅回路とした構成、点滅するＬＥＤとした構成、時間の経過と共に発光色が変化するＬＥＤとした構成とすることにより演出、装飾効果が向上する。
密閉ケースの底部を開閉自在とし電池を交換できる構成とすることにより繰り返し使用することが可能となる。
【０００８】
なお本発明の水中照明具は、水面に浮かせるか又は水中に水没させてもよいし、照明具の下部を水に浸けて使用してもよく、水中の文言に限定されるものではない。
【発明の効果】
【０００９】
水に投入時自動的に発光が始まり且つ発光素子から出た光は内壁面の凹凸で乱反射して容器表面全体が光り、しかも凹凸により強く光る部分や弱く光る部分があるため輝いている状態となり演出効果及び装飾効果のある水中照明具を提供することができる。又本発明水中照明具は、単体でも楽しむことができるが水槽、浴槽、プール等に多数水面に浮かせて、それぞれ異なる発光色としておけば美しい演出を楽しむことができる。
【発明を実施するための最良の形態】
【００１０】
以下本発明の水中照明具の第1実施例の形態を図面を参照しながら説明する。
【００１１】
中空容器２の皮層は図１に示すごとく、球状あるいはペレット状等の小塊体からなる壁からなり、壁の所要部所には球状あるいはペレット状小塊体間に生じる穴１０があり、壁の外面は平滑で内面は球状あるいはペレット状小塊体の突起が多数突出して凹凸１となっている。
【００１２】
このような形態の壁は、エチレン酢酸ビニル共重合樹脂のペレットの小塊体を球状金型に入れ、回転運動を与えながら加熱成形する間に、小塊体の表面が溶解して互いに接着し合い連結する。外面は溶融軟化され平滑となる。この方法で、直径６５ｍｍの球状中空容器２を成形する。この中空容器２の下部に直径３３ｍｍの穴を設け、この穴に直径３３ｍｍ高さ３８ｍｍの底が平らなドーム状密閉透明ケース６を同底部が露出するように挿入して接着固定する。
【００１３】
透明ケース７内は、上下２室に分割され、下室には１０ｍｍＡ〜２０ｍｍＡの電流を流すための回路５、ＬＥＤ及び電池を内蔵している。透明ケース６の底部に外部に露出させた２本の通電用端子が回路５に連結されており、水と接触して端子間に微弱電流が流れて回路５が入り、定格の電流が流れ点灯する。点灯した光は、透明ケース６内の上室に収められた、不定形の透明塊状物、あるいは気泡の入った透明塊状物に当たって反射し拡散する。この拡散された光は透明ケース６から中空容器２の内壁の凹凸に当り、さらに拡散されて容器全体から放出される。また透孔の穴１０からも光が出て全体として輝いた状態となる
【００１４】
発明の水中照明具の第２実施例の形態を図面を参照しながら説明する。
【００１５】
中空容器２の下部開口部に係止用枠１２をはめ込み。この係止用枠１２に発光装置７を着脱自在に装着する構造とした（第３図）。発光装置７は第1実施例と同様に密閉ケース６で覆われており発光装置７の先端の光はケース６から中空容器２の内壁の凹凸に当り、拡散されて容器全体から放出される。従ってこの実施例では必ずしも光拡散物１１は必要ではない。なお本実施例のように発光装置７を着脱自在に装着する構造とすることにより以下のような利点がある。電池が無くなった時新しい発光装置７と取り替えれば繰り返し使用できる。量産時不良の発光装置７を発見したらその発光装置をとりかえればよい。予め耐水テストに合格した発光装置７のみ使用できる。
【００１６】
従って、図２、図４に示すように、ガラスや白色の容器に少し水を入れ、その中に本発明の照明具を置けば、上記のごとく発光し、例えば教会の婚礼時の通路左右に多数配置して式の演出をもりあげることができる。なお使用後は取り上げ、水をふけば消灯するのは言うまでもない。
【図面の簡単な説明】
【００１７】
【図１】本発明の水中照明具における第1実施例の断面説明図
【図２】本発明の水中照明具における第1実施例の使用状態を示す説明図
【図３】本発明の水中照明具における第２実施例の断面説明図
【図４】本発明の水中照明具における第２実施例の使用状態を示す説明図
【符号の説明】
【００１８】
１．凹凸  ２．中空容器  ３．発光素子  ４．電池  ５．回路  ６．密閉ケース  ７．発光装置  ８．底部  ９．端子  １０．穴  １１．光拡散物  １２．係止用枠
【図１】
2005317513.tif 000003
【図２】
2005317513.tif 000004
【図３】
2005317513.tif 000005
【図４】
2005317513.tif 000006